(57)【要約】【課題】コーナー設置時の高い背面スペースファクターと低音でのラック振動抑制を両立しながら、音の広がり感が豊かで低音の歯切れも良く、ラックの機器収納横幅スペースを広くできるスピーカシステムを提供することを目的とする。【解決手段】一対の低音用スピーカを、前面を傾斜させた第１のボックスの側面に、同軸上左右対称に対向配置して取り付け、低音用スピーカの放射音を前方に導き出す一対の音道を備え、一対の中高音用スピーカを、第１のボックスの外側に配置され且つ背面を傾斜させた第２のボックスに取り付け、中高音用スピーカを第１のボックスの前面よりも後方に配置し、音道を第１のボックスの外側且つ第２のボックスの下方に設けるように構成した。【選択図】図１
2011166192.tif 000002
【特許請求の範囲】
【請求項１】
同軸上左右対称に互いに対向配置された同位相で駆動される一対の低音用スピーカと、前記低音用スピーカを取り付ける左右対称配置され且つ互いに結合された一対の第１のボックスと、正面向き左右対称配置された一対の中高音用スピーカと、前記中高音用スピーカを取り付ける左右対称配置された一対の第２のボックスと、前記低音用スピーカの放射音を前方に導き出す左右対称配置された一対の音道とを備え、前記低音用スピーカを前記中高音用スピーカよりも下方に配置し、前記第２のボックスを前記第１のボックスの外側に配置し、前記第１のボックスの前面を外側方向に傾斜させ、前記中高音用スピーカを前記第１のボックスの前面よりも後方に配置し、前記音道を前記第１のボックスの外側且つ前記第２のボックスの下方に設け、前記第２のボックスの背面を外側方向に傾斜させたことを特徴とする、スピーカシステム。
【請求項２】
前記第２のボックスの背面と前記音道の背面を一体的に構成し、前記第２のボックスの外側側面と前記音道の外側側面を一体的に構成したことを特徴とする、請求項１に記載のスピーカシステム。
【請求項３】
前記第２のボックスの内部を、前記中高音用スピーカを収納する第１のキャビティと、前記中高音用スピーカから隔離された第２のキャビティとに分割し、前記第２のキャビティを前記第１のボックスのキャビティと結合したことを特徴とする、請求項１または請求項２に記載のスピーカシステム。
【請求項４】
バスレフポートを前記第２のキャビティの背面に取り付け、前記第１のボックスのキャビティと前記第２のキャビティとを結合する孔に、前記バスレフポートを貫通させたことを特徴とする、請求項３に記載のスピーカシステム。
【発明の詳細な説明】
【技術分野】
【０００１】
本発明は、ステレオ音響再生やマルチチャンネル音響再生に用いられるスピーカシステム、特にテレビ用ラックを兼ねたラック型音響再生装置に用いられるスピーカシステムに関するものである。
【背景技術】
【０００２】
近年、テレビ用ラックにアンプとスピーカシステムを組み込んだ、ラック型音響再生装置が普及してきている。さほど広くない日本の一般家庭で大画面薄型テレビを使用するに当たり、部屋のスペースをできるだけ食わないようにするために、大画面薄型テレビをラック型音響再生装置に載せて部屋のコーナーに設置する場合が多い。
【０００３】
一方、床から伝播して生じる近隣家屋への音漏れに配慮するため、またラック内に収納する機器から異音が発生しないようにするため、大音量で低音を出してもラック自体の振動が小さいことが望まれる。
【０００４】
つまりラック型音響再生装置のために、コーナー設置時の背面スペースファクターの高さと、低音でのラック振動抑制を両立できるスピーカシステムが求められる。これに対して、特許文献１に開示された構成のスピーカシステムを、ラック型音響再生装置に応用することが考えられる。
【０００５】
図９は、特許文献１に開示されたスピーカシステムをラック型音響再生装置に応用した、従来のスピーカシステムの構成を示す斜視図である。図１０は、同従来のスピーカシステムの内部構造図である。図１１は、同従来のスピーカシステムをコーナー設置した時の配置図である。
【０００６】
図９、図１０、図１１において、低音用スピーカ４１１、４１２は、左右対称に配置された低音用スピーカのボックス４３１、４３２の側面に取り付けられ、同軸上左右対称に互いに対向配置されている。そして同位相で駆動される。低音用スピーカのボックス４３１、４３２は底板４８１と天板４８２で互いに結合されている。リフレクタ４６３、４６４は低音用スピーカ４１１、４１２の前面に取り付けられ、低音用スピーカ４１１、４１２の音を前方に出す。
【０００７】
中高音用スピーカ４２１、４２２は、中高音用スピーカのボックス４４１、４４２に取り付けられ正面向き左右対称に配置されている。低音用スピーカのボックス４３１、４３２と中高音用スピーカのボックス４４１、４４２は一体化されているが、内部は低音用スピーカのボックスのキャビティ４５１、４５２と、中高音用スピーカのボックスのキャビティ４５３、４５４とに分割されている。低音用スピーカのボックスの背面４３５、４３６は、外側方向に４５°傾斜させている。
【０００８】
底板４８１、天板４８２、低音用スピーカのボックス４３１、４３２、中高音用スピーカのボックス４４１、４４２とで囲まれた空間が、ラック部分に相当する。ラックの内寸横幅をできるだけ広くするため、各スピーカを駆動するアンプや操作部は天板４８２の下に、または底板４８１の上あるいは下に取り付けられる。
【０００９】
この構成により、低音用スピーカ４１１、４１２の振動が互いに打ち消しあうので、低音でのラックの振動を抑制できる。また低音用スピーカのボックスの背面４３５、４３６を外側方向に傾斜させているので、コーナー設置した時に壁面４９０との間のデッドスペースが少なくなり、背面スペースファクターを高くできる。
【先行技術文献】
【特許文献】
【００１０】
【特許文献１】公開平４−２９２８０号公報
【発明の概要】
【発明が解決しようとする課題】
【００１１】
しかしながら前述の図９、図１０、図１１に示すような従来のスピーカシステムでは、実際の限られた床面積の中でコーナー設置しようとすると、左右の中高音用スピーカの間隔を広くできないので音の広がり感が乏しいという問題があった。また低音がリフレクタの上下の開いている部分から抜けて後方に回り込むので、低音が部屋のコーナーの影響を受けやすく、低音がこもって低音の歯切れが悪くなるという問題があった。
【００１２】
さらに、左右のスピーカのボックスを外側寄りに配置しようとすると、スピーカのボックス前面外側端部がコーナー設置スペースからはみ出すので、左右のスピーカのボックスの間隔を広げられなかった。つまりラックの機器収納横幅スペースを広くできないという問題もあった。
【００１３】
本発明はこのような従来の課題を解決するものであり、コーナー設置時の高い背面スペースファクターと低音でのラック振動抑制を両立しながら、実際の限られた床面積の中でのコーナー設置時において広がり感の豊かな音を再生でき、また歯切れの良い低音を再生でき、かつラックの機器収納横幅スペースを広くできるスピーカシステムを提供することを目的とする。
【課題を解決するための手段】
【００１４】
上記目的を達成するために本発明のスピーカシステムは、同軸上左右対称に互いに対向配置された同位相で駆動される一対の低音用スピーカと、前記低音用スピーカを取り付ける左右対称配置され且つ互いに結合された一対の第１のボックスと、正面向き左右対称配置された一対の中高音用スピーカと、前記中高音用スピーカを取り付ける左右対称配置された一対の第２のボックスと、前記低音用スピーカの放射音を前方に導き出す左右対称配置された一対の音道とを備え、前記低音用スピーカを前記中高音用スピーカよりも下方に配置し、前記第２のボックスを前記第１のボックスの外側に配置し、前記第１のボックスの前面を外側方向に傾斜させ、前記中高音用スピーカを前記第１のボックスの前面よりも後方に配置し、前記音道を前記第１のボックスの外側且つ前記第２のボックスの下方に設け、前記第２のボックスの背面を外側方向に傾斜させたものである。
【００１５】
このような構成をとることにより、コーナー設置時の高い背面スペースファクターと低音でのラック振動抑制を両立しながら、実際の限られた床面積の中でのコーナー設置時において下記の作用を有する。
【００１６】
中高音用スピーカを取り付ける第２のボックスを、低音用スピーカを取り付ける第１のボックスの外側に配置し、第１のボックスの前面を外側方向に傾斜させ、中高音用スピーカを第１のボックスの前面よりも後方に配置したことにより、左右コーナーの近くに中高音用スピーカを配置できるので、左右の中高音用スピーカの間隔を広くできる。
【００１７】
また低音用スピーカの放射音を前方に導き出す音道を設けたので、後方への低音の回り込みが少なくなり、低音が部屋のコーナーの影響を受けにくくできる。また低音用スピーカのボックスの前面を外側方向に傾斜させたことにより、低音用スピーカのボックスを外側寄りに配置できるので、ラック部分の内寸横幅を広くできる。
【発明の効果】
【００１８】
本発明のスピーカシステムによれば、コーナー設置時の高い背面スペースファクターと低音でのラック振動抑制を両立しながら、実際の限られた床面積の中でのコーナー設置時において広がり感の豊かな音を再生でき、また歯切れの良い低音を再生でき、かつラックの機器収納横幅スペースを広くできるスピーカシステムを提供できる。
【図面の簡単な説明】
【００１９】
【図１】本発明の実施の形態１のスピーカシステムの構成を示す斜視図
【図２】本発明の実施の形態１のスピーカシステムの構成を示す内部構造図
【図３】本発明の実施の形態１のスピーカシステムの構成を示す内部構造図
【図４】本発明の実施の形態１のスピーカシステムの構成を示す内部構造図
【図５】本発明の実施の形態１のスピーカシステムの構成を示す内部構造図
【図６】本発明の実施の形態１のスピーカシステムのコーナー設置配置図
【図７】本発明の実施の形態２のスピーカシステムの構成を示す内部構造図
【図８】本発明の実施の形態３のスピーカシステムの構成を示す内部構造図
【図９】従来のスピーカシステムの構成を示す斜視図
【図１０】従来のスピーカシステムの構成を示す内部構造図
【図１１】従来のスピーカシステムのコーナー設置配置図
【発明を実施するための形態】
【００２０】
以下に本発明を実施するための形態について、図面を参照しながら詳細に説明する。
【００２１】
（実施の形態１）
まず本発明の実施の形態１におけるスピーカシステムの構成について、図１乃至図５を参照しながら説明する。図１は本発明の実施の形態１におけるスピーカシステムの構成を示す斜視図である。図２は同スピーカシステムを低音用スピーカの高さ位置で切って見た内部構造図である。図３は同スピーカシステムを中間の高さ位置で切って見た内部構造図である。図４は同スピーカシステムを中高音用スピーカの高さ位置で切って見た内部構造図である。図５は同スピーカシステムを前面から見た内部構造図である。
【００２２】
図１、図２、図５において、一対の低音用スピーカ１１１、１１２は、同軸上左右対称に互いに対向配置され同位相で駆動される。図１において、低音用スピーカ１１１、１１２は、左右対称配置された一対の第１のボックス１３１、１３２に横向きに取り付けられている。第１のボックス１３１、１３２は、底板１８１と天板１８２で互いに結合されている。図１、図２、図５において、低音用スピーカ１１１、１１２の音は、左右対称配置された一対の音道１６１、１６２により前方へ導き出される。
【００２３】
実際製品のラック型音響再生装置では、各スピーカを駆動するアンプや操作部は天板１８２の下に、または底板１８１の上あるいは下に取り付けられる。また中高音用スピーカ１２１、１２２、音道１６１、１６２の前面にはネット等が取り付けられる。しかしこれらは本発明の本質的な作用や効果とは関係がないので、図示、説明とも省略する。
【００２４】
図１において、一対の中高音用スピーカ１２１、１２２は正面向き左右対称配置され、左右対称配置された一対の第２のボックス１４１、１４２に取り付けられている。低音用スピーカ１１１、１１２は中高音用スピーカ１２１、１２２よりも下方に配置され、第２のボックス１４１、１４２は第１のボックス１３１、１３２の外側に配置されている。図１、図４において、第１のボックスの前面１３３、１３４は外側方向に傾斜させている。中高音用スピーカ１２１、１２２は第１のボックスの前面１３３、１３４よりも後方に配置されている。中高音用スピーカ１２１、１２２は、底板１８１、天板１８２の外形からはみ出さない。
【００２５】
図１において、音道１６１、１６２は第１のボックス１３１、１３２の外側且つ第２のボックス１４１、１４２の下方に設けられている。
【００２６】
図１、図５において、第２のボックスの外側側面１４３、１４４と、音道の外側側面１６３、１６４は一体的に構成されている。図２、図３、図４において、第１のボックスの背面１３５、１３６と第２のボックスの背面１４５、１４６は一体的に構成され、外側方向に傾斜させている。
【００２７】
図５において第２のボックスの内部は、中高音用スピーカ１２１、１２２を収納する第１のキャビティ１５３、１５４と、中高音用スピーカ１２１、１２２から隔離された第２のキャビティ１５５、１５６とに分割されている。そして図３、図５において、第２のキャビティ１５５、１５６はキャビティ結合孔１５７、１５８により、第１のボックスのキャビティ１５１、１５２と結合させられている。
【００２８】
次に本実施の形態１のスピーカシステムの具体的な寸法や、各構成部品の仕様などについて説明する。本実施の形態１のスピーカシステムは、８８ｃｍ×８８ｃｍの半畳床面積を最大限に使ってコーナー設置できるように構成している。
【００２９】
低音用スピーカ１１１、１１２の口径は１２ｃｍ、奥行きは５．５ｃｍである。中高音用スピーカ１２１、１２２の口径は６．５ｃｍ、奥行きは４ｃｍである。中高音用スピーカ１２１は左チャンネルの信号を再生し、中高音用スピーカ１２２は右チャンネルの信号を再生する。低音用スピーカ１１１、１１２はサブウーハチャンネルの低域信号を再生し、直列に接続されている。
【００３０】
第１のボックス１３１、１３２の奥行き、および底板１８１と天板１８２の奥行きは３８ｃｍである。つまり本実施の形態１のスピーカシステムによるラックの奥行きは３８ｃｍである。底板１８１と天板１８２の横幅は１１２．３ｃｍである。つまり本実施の形態１のスピーカシステムによるラックの外形横幅は１１２．３ｃｍである。底板１８１の裏面から天板１８２の表面までの外形総高さは４０ｃｍである。
【００３１】
底板１８１、天板１８２は厚み２０ｍｍの木材でできている。第１のボックス１３１、１３２は、底板と天板を除いて厚み１５ｍｍの木材でできている。第２のボックス１４１、１４２は、底板と天板を除いて厚み１５ｍｍの木材でできている。底板は厚み１０ｍｍの木材でできている。音道の外側側面１６３、１６４と、音道の背面１６５、１６６は厚み１５ｍｍの木材でできている。第２のボックスの第１のキャビティ１５３、１５４と第２のキャビティ１５５、１５６を仕切る板は、厚み１０ｍｍの木材である。
【００３２】
第１のボックスの前面１３３、１３４は、外側方向に３８°傾斜させている。その傾斜部の幅は１４．５ｃｍである。第１のボックスの背面１３５、１３６、第２のボックスの背面１４５、１４６、音道１６５、１６６の背面は一体であり、外側方向に４５°傾斜させている。その傾斜部の幅は１４．５ｃｍである。第１のボックス１３１、１３２の外形幅は７．５ｃｍである。第１のボックス１３１、１３２の幅と、第２のボックス１４１、１４２の幅の外形合計は１６ｃｍである。第２のボックスの外側側面１４３、１４４の奥行は１２．２ｃｍである。
【００３３】
第１のボックスのキャビティ１５１、１５２の横幅は４．５ｃｍ、高さは３６ｃｍ、長辺奥行きは３４．１ｃｍ、短辺奥行きは２７．１ｃｍである。第２のボックスの第１のキャビティ１５３、１５４と第２のキャビティ１５５、１５６の幅は７ｃｍ、長辺奥行きは１７．１ｃｍ、短辺奥行きは１０．１ｃｍである。第２のボックスの第１のキャビティ１５３、１５４の高さは９ｃｍ、第２のキャビティ１５５、１５６の高さは１２．５ｃｍである。音道１６１、１６２の内寸幅は７ｃｍ、高さは１２．５ｃｍである。
【００３４】
第１のボックスのキャビティ１５１、１５２の内容積は４．９６リットルである。第２のボックスの第１のキャビティ１５３、１５４の内容積は０．８６リットルである。第２のボックスの第２のキャビティ１５５、１５６の内容積は１．１９リットルである。キャビティ結合孔１５７、１５８の開口は幅１５ｃｍ、高さ１１ｃｍであり、この部分の内容積は０．２５リットルである。
【００３５】
従って、中高音用スピーカ１２１、１２２に対する内容積は０．８６リットルである。低音用スピーカ１１１、１１２に対する内容積は、第１のボックスのキャビティ１５１、１５２と、第２のボックスの第２のキャビティ１５５、１５６と、キャビティ結合孔１５７、１５８の内容積の合計となるので、６．４リットルである。
【００３６】
以上のように構成した実施の形態１のスピーカシステムの作用、効果について、図６と、前述の図９、図１０と図１１を参照しながら説明する。図６は本発明の実施の形態１におけるスピーカシステムを、８８ｃｍ×８８ｃｍの半畳床面積スペースにコーナー設置した時の配置図である。比較のために、従来のスピーカシステムをコーナー設置した場合について、具体的な寸法や、各構成部品の仕様などと併せて説明する。
【００３７】
図１１は従来のスピーカシステムを、８８ｃｍ×８８ｃｍの半畳床面積スペースにコーナー設置した場合の配置図であり、この従来のスピーカシステムも、８８ｃｍ×８８ｃｍの半畳床面積スペースを最大限に使ってコーナー設置できるように構成している。
【００３８】
図９、図１０、図１１において、低音用スピーカ４１１、４１２、中高音用スピーカ４２１、４２２は、本実施の形態１のスピーカシステムにおけるものと同じであり、それぞれ口径１２ｃｍ、６．５ｃｍである。
【００３９】
低音用スピーカのボックス４３１、４３２の奥行き、および底板４８１と天板４８２の奥行きは３８ｃｍである。つまりこの従来のスピーカシステムによるラックの奥行きは３８ｃｍであり、本実施の形態１のスピーカシステムと同じである。
【００４０】
底板４８１と天板４８２の横幅は９７．９ｃｍである。つまりこの従来のスピーカシステムによるラックの外形横幅は９７．９ｃｍである。底板４８１の裏面から天板４８２の表面までの外形総高さは４０ｃｍであり、本実施の形態１のスピーカシステムと同じである。底板４８１、天板４８２は厚み２０ｍｍの木材でできている。
【００４１】
図９において、低音用スピーカのボックス４３１、４３２は、底板と天板を除いて厚み１５ｍｍの木材でできている。中高音用スピーカのボックス４４１、４４２は、天板を除いて厚み１５ｍｍの木材でできている。リフレクタ４６３、４６４は厚み１０ｍｍの木材でできている。図９、図１０、図１１において、低音用スピーカのボックスの背面４３５、４３６は、外側方向に４５°傾斜させている。
【００４２】
低音用スピーカのボックス４３１、４３２の外形幅、中高音用スピーカのボックス４４１、４４２の外形幅は、いずれも１０ｃｍである。両者ボックスの外側側面の奥行は２９．５ｃｍである。リフレクタ４６３、４６４のサイズは１８ｃｍ×１８ｃｍである。
【００４３】
図１０において、低音用スピーカのボックスのキャビティ４５１、４５２の幅は７ｃｍ、高さは３６ｃｍ、長辺奥行きは２９．４ｃｍ、短辺奥行きは２２．４ｃｍである。中高音用スピーカのボックスのキャビティ４５３、４５４の幅は７ｃｍ、高さは３６ｃｍ、奥行きは３．５ｃｍである。低音用スピーカのボックスのキャビティ４５１、４５２の内容積は６．５３リットルである。中高音用スピーカのボックスのキャビティ４５３、４５４の内容積は０．８８リットルである。
【００４４】
図１１において、上述の従来のスピーカシステムのラック内寸幅Ｗ１は７７．９ｃｍ、左右の中高音用スピーカ４２１、４２２の間隔Ｗ２は９７．９ｃｍであった。これに対して本実施の形態１のスピーカシステムでは、第２のボックス１４１、１４２を第１ボックス１３１、１３２の外側に配置し、第１のボックスの前面１３３、１３４を外側方向に傾斜させ、中高音用スピーカ１２１、１２２を第１のボックスの前面１３３、１３４よりも後方に配置したので、図６に示すようにコーナー設置スペースからはみ出すことなく、左右コーナーの近くに中高音用スピーカ１２１、１２２を配置できる。従って左右の中高音用スピーカ１２１、１２２の間隔を広くできる。
【００４５】
つまり従来のスピーカシステムでは、左右コーナーのスペースが使えずに無駄に空いていたのに対して、本実施の形態１のスピーカシステムではこのスペースを有効に使うことができる。この結果、図６において左右の中高音用スピーカ１２１、１２２の間隔Ｗ２は１０２．３ｃｍとなり、従来のスピーカシステムよりも広くできた。これにより広がり感の豊かな音を再生できる。
【００４６】
第１のボックスの前面１３３、１３４は外側方向に傾斜させているので、中高音用スピーカ１２１、１２２の音は第１のボックス１３１、１３２に邪魔されることなく広く前方水平方向に放射され、音の広がり感が阻害されることがない。
【００４７】
なお低音には指向性が殆どないので、左右の低音用スピーカ１１１、１１２の間隔が広がらなくても、音の広がり感や定位間を損なうことはない。従って左右の低音用スピーカ１１１、１１２の間隔が、左右の中高音用スピーカ１２１、１２２の間隔より狭いことは問題にはならない。
【００４８】
従来のスピーカシステムでは左右のスピーカのボックスを外側寄りに配置しようとすると、スピーカのボックス前面外側端部がコーナー設置スペースからはみ出した。このため左右スピーカのボックスの間隔を広げられず、ラック内寸幅を広くできなかった。
【００４９】
本実施の形態１のスピーカシステムでは、第１のボックスの前面１３３、１３４を外側方向に傾斜させたことにより、第１のボックスの前面１３３、１３４の外側端部がコーナー設置スペースからはみ出さなくなる。従って左右の第１のボックス１１１、１１２を外側寄りに配置できるので、ラック部分の内寸横幅を広くできる。本実施の形態１のスピーカシステムは図６において、ラック内寸幅Ｗ１は８０．３ｃｍとなり、従来のスピーカシステムよりも広くできた。これによりラックの機器収納横幅スペースを広くできる。
【００５０】
また上述の従来のスピーカシステムでは、低音用スピーカ４１１、４１２の放射音は、リフレクタ４６３、４６４の上下の開いている部分から抜けて後方に回り込むので、低音が部屋のコーナーの影響を受けやすい。これに対して本実施の形態１のスピーカシステムでは、音道１６１、１６２の上下、両側面とも囲まれているので、低音用スピーカ１１１、１１２の放射音は後方に回り込むことなく前方に導き出される。従って低音が部屋のコーナーの影響を受けにくい。これにより歯切れの良い低音を再生できる。
【００５１】
また本実施の形態１では第２のボックスの背面１４５、１４６と、音道の背面１６５、１６６を一体的に構成し、かつ第２のボックスの外側側面１４３、１４４と音道の外側側面１６３、１６４を一体的に構成したので、従来のスピーカシステムに対して構成部材が大幅に増えることがない。これにより量産性を高くでき、またラックの強度を高くでき、さらにまたデザイン性を高められる。
【００５２】
また本実施の形態１では、第２のボックス１４１、１４２の内部を中高音用スピーカ１２１、１２２を取り付ける第１のキャビティ１５３、１５４と、中高音用スピーカ１２１、１２２を取り付けない第２のキャビティ１５５、１５６とに分割し、第２のキャビティ１５５、１５６を第１のボックスのキャビティ１５１、１５２と結合したので、低音用スピーカ１１１、１１２に対する内容積を大きくできる。これにより省スペースながら優れた低音再生ができる。本実施の形態１のスピーカシステムは、上記従来のスピーカシステムと同等の内容積を確保できた。
【００５３】
以上のように本発明のスピーカシステムによれば、コーナー設置時の高い背面スペースファクターと低音でのラック振動抑制を両立しながら、実際の限られた床面積の中でのコーナー設置時において広がり感の豊かな音を再生できる、また歯切れの良い低音を再生できる、かつラックの機器収納横幅スペースを広くできるスピーカシステムを実現できる。また本実施の形態１によれば、量産性が高く、ラックの強度が高く、デザイン性が高い、かつ省スペースながら優れた低音再生ができるスピーカシステムを実現できる。
【００５４】
ところで本実施の形態１のスピーカシステムでは、音道１６１、１６２の内寸幅を７ｃｍとし、低音用スピーカ１１１、１１２の奥行き５．５ｃｍよりも大きくしているので、低音用スピーカ１１１、１１２を音道１６１、１６２の中を通して着脱することができる。低音用スピーカ１１１、１１２の取付ビスを回すための孔を、音道の外側側面１６３、１６４に開けることで交換サービス性を高くできる。
【００５５】
なお本実施の形態１では、第２のボックスの背面１４５、１４６と音道の背面１６５、１６６を一体的に構成し、また第２のボックスの外側側面１４３、１４４と音道の外側側面１６３、１６４を一体的に構成したが、いずれか一方または両方とも別々に構成することもできる。例えば音道の背面１６５、１６６を、第２のボックスの背面１４５、１４６よりも前方に出すことも考えられる。このように構成すると音道１６１、１６２の容積が小さくなるので、空洞共振音を小さくすることができる。
【００５６】
また例えば音道の外側側面１６３、１６４を、第２のボックスの外側側面１４３、１４４と別体とし着脱可能に構成すれば、低音用スピーカ１１１、１１２の交換サービス性をいっそう高くできる。特に音道１６１、１６２の内寸幅よりも、低音用スピーカ１１１、１１２の奥行きが大きい場合は有用である。
【００５７】
また本実施の形態１では、中高音用スピーカ１２１、１２２を真正面向きに取り付けたが、外向きや上向きなど任意の方向に傾斜させることができる。例えば第２のボックス１４１、１４２の前面を、第１のボックスの前面１３３、１３４と同じ傾斜面で構成し、これに中高音用スピーカ１２１、１２２を取り付けることもできる。
【００５８】
また本実施の形態１では、低音用スピーカ１１１、１１２はサブウーハチャンネルを再生したが、これをステレオチャンネル用の左右独立ウーハとしてもよい。ステレオ信号であっても、低域信号は左右チャンネルとも同等レベルで録音されている場合が殆どなので、低域振動の打ち消し効果は発揮される。また本実施の形態１では、低音用スピーカ１１１、１１２を直列に接続したが、並列に接続しても構わない。
【００５９】
また本実施の形態１では第２のボックスの内部を上下に分割したが、前後方向に分割することもできる。つまり前側のキャビティを第１のキャビティとし、後ろ側のキャビティを第２のキャビティとすることができる。
【００６０】
また本実施の形態１では、底板１８１と天板１８２で左右の第１のボックス１３１、１３２を結合したが、着脱可能に構成してもよい。このように構成すればラックの梱包サイズを小さくできるので、輸送コストを下げることができる。
【００６１】
また本実施の形態１では、第１のボックスの前面１３３、１３４の傾斜を３８°、第１のボックスの背面１３５、１３６と第２のボックスの背面１４５、１４６の傾斜を４５°としたが、これに限る必要はない。また本実施の形態１では、第１のボックスの前面１３３、１３４の全体を傾斜させたが、外側の一部分だけを傾斜させても構わない。
【００６２】
またその他、本発明は上記説明した例に限定されるものでないことは言うまでもない。
（実施の形態２）
次に図７を参照しながら、本発明の実施の形態２におけるスピーカシステムについて説明する。本実施の形態２のスピーカシステムも左右対称の構成である。図７は、本発明の実施の形態２におけるスピーカシステムの構成を示す内部構造図であり、図７の左側は中高音用スピーカの高さ位置で切って見た内部構造を、図７の右側は低音用スピーカの高さ位置で切って見た内部構造を示している。
【００６３】
低音用スピーカ２１１、２１２、中高音用スピーカ２２１は、実施の形態１におけるものと同じである。実施の形態１と同様に、第２のボックスの背面と音道の背面は一体的に構成され、第２のボックスの外側側面と音道の外側側面も一体的に構成されている。また底板２８１、天板２８２、音道２６２の構成も同様である。以下、実施の形態１と異なる部分を中心に以下説明する。
【００６４】
図７において、一対の低音用スピーカ２１１、２１２は、同軸上左右対称に互いに対向配置され同位相で駆動されるが、実施の形態１とは逆に互いに内側向きに配置されている。つまり第１のボックス２３１、２３２の外側に取り付けられている。
【００６５】
第１のボックスの前面２３３、２３４の傾斜は、底板２８１、天板２８２の傾斜よりも大きくしている。第１のボックスの背面２３５、２３６は傾斜させず、まっすぐに構成している。そして第２のボックスの背面２４５、音道の背面２６６だけを傾斜させている。第２のボックス２４１の内部は分割されていない。
【００６６】
このように構成された実施の形態２のスピーカシステムは、実施の形態１と基本的な作用、効果は同じである。つまりコーナー設置時の高い背面スペースファクターと低音でのラック振動抑制を両立しながら、実際の限られた床面積の中でのコーナー設置時においても広がり間の豊かな音を再生できる、また歯切れの良い低音を再生できる、かつラックの機器収納横幅スペースの広くできるスピーカシステムを実現できる。また量産性が高く、ラックの強度が高く、デザイン性が高いスピーカシステムを実現できる。
【００６７】
本実施の形態２では、低音用スピーカ２１１、２１２を内向きに配置し、第１のボックス２３１、２３２の外側に取り付けたので、第１のボックス２３１、２３２の横幅を小さくできる。従ってその分だけ第２のボックス２４１の幅を広くできる。さらにまた第２のボックス２４１の内部は分割されていないので、第２のボックス２４１の内容積を大きくできる。これにより中高音用スピーカの再生周波数帯域をできるだけ低域まで伸ばすことができる。低音用スピーカは補助的に使えば良い場合に有用な構成である。
【００６８】
また本実施の形態２では第１のボックスの背面２３５、２３６を傾斜させず、まっすぐに構成したので、第１のボックスの横幅が小さくなっても内容積が減ることを緩和できる。また第１のボックスの前面２３３、２３４の傾斜を大きくしたので、中高音用スピーカ２２１の音がいっそう広く前方水平方向に放射され、いっそう広がり感のある音を再生できる。
【００６９】
なお本実施の形態２では、第１のボックスの背面２３５、２３６を傾斜させなかったが、実施の形態１と同様に傾斜させても構わないことは言うまでもない。また本実施の形態２では、第２のボックスの背面２４５、音道の背面２６６の全体を傾斜させたが、外側の一部分だけを傾斜させても構わない。
【００７０】
またその他、本発明は上記説明した例に限定されるものでないことは言うまでもない。
（実施の形態３）
次に図８を参照しながら、本発明の実施の形態３におけるスピーカシステムについて説明する。図８は同スピーカシステムを中間高さ位置で切って見た内部構造図である。図８おいて本発明の実施の形態３のスピーカシステムは、バスレフポート３１３、３１４を除いては、実施の形態１のスピーカシステムと全て同じ構成であり、各構成要素の寸法、材質も同じである。
【００７１】
本実施の形態３ではバスレフポート３１３、３１４を、第２のキャビティ３５５、３５６の背面に対して直角に取り付け、第１のボックスのキャビティ３５１、３５２と第２のキャビティ３５５、３５６との結合孔３５７、３５８を、貫通させている。バスレフポート３１３、３１４は厚み２．５ｍｍの紙製であり、内径は約４ｃｍ、長さは約１５ｃｍである。
【００７２】
このように構成された本実施の形態３のスピーカシステムの作用、効果は、第１の実施の形態で説明したのと全く同じである。それに加えて本実施の形態３ではバスレフポートを長く太くできるので、大音圧でも空気ノイズの少ない優れた低音再生ができるという効果を有する。
【００７３】
バスレフポートを第１のボックスの奥行き方向に取り付ければ、バスレフポートを長く太くできるが、バスレフポートの開口部分を急峻な斜め切りにしなければならないので、量産性が悪い。本実施の形態３では、ボックスの背面に直角に取り付けることができるので、量産性が高いというメリットもある。
【００７４】
なお本実施の形態３では、バスレフポート３１３、３１４を、第２のキャビティ３５５、３５６の背面に対して直角に取り付けたが、量産性を損なわない範囲で若干傾けても構わない。バスレフポートを傾き角度をもった成型フランジを介して取り付ければ、量産性を損なうことなく取付角度の自由度を高くできる。このように構成すれば、いっそう長いポートを用いることが可能になる。その他、本発明は上記説明した例に限定されるものでないことは言うまでもない。
【産業上の利用可能性】
【００７５】
本発明によれば、コーナー設置時の高い背面スペースファクターと低音でのラック振動抑制を両立しながら、実際の限られた床面積の中でのコーナー設置時において広がり感の豊かな音を再生でき、歯切れの良い低音を再生でき、かつラックの機器収納横幅スペースを広くできるスピーカシステムを提供できる。
【００７６】
そのため本発明はラック型の音響再生装置だけでなく、一つの筐体内に左右の低音用スピーカと中高音用スピーカまたは高音用スピーカを内蔵した、あらゆる音響再生装置に適用できる。以上のように、本発明のスピーカシステムは極めて実用的価値の高いものである。
【符号の説明】
【００７７】
１１１、１１２  低音用スピーカ
１２１、１２２  中高音用スピーカ
１３１、１３２  第１のボックス
１３３、１３４  第１のボックスの前面
１３５、１３６  第１のボックスの背面
１４１、１４２  第２のボックス
１４３、１４４  第２のボックスの外側側面
１４５、１４６  第２のボックスの前面
１５１、１５２  第１のボックスのキャビティ
１５３、１５４  第２のボックスの第１のキャビティ
１５５、１５６  第２のボックスの第２のキャビティ
１５７、１５８  キャビティ結合孔
１６１、１６２  音道
１６３、１６４  音道の外側側面
１６５、１６６  音道の背面
１８１  底板
１８２  天板
１９０  壁面
【図１】
2011166192.tif 000003
【図２】
2011166192.tif 000004
【図３】
2011166192.tif 000005
【図４】
2011166192.tif 000006
【図５】
2011166192.tif 000007
【図６】
2011166192.tif 000008
【図７】
2011166192.tif 000009
【図８】
2011166192.tif 000010
【図９】
2011166192.tif 000011
【図１０】
2011166192.tif 000012
【図１１】
2011166192.tif 000013